(57)【要約】【課題】  給紙スペース側と印字機構部側で分割した従来のペーパーガイドでは、配送伝票やラベル紙が張り付いた障害を復旧するために、その除去のための張り付いた位置の確認や部品の取り付け取り外しに多大の時間を要していた。【解決手段】  用紙走行ガイドを、筐体の給紙スペースから印刷機構部まで延びた一部品構成、または複数の構成部品からなる一体組み立て品として構成し、前記用紙走行ガイドを前記筺体の給紙スペース側に着脱可能に固定した。【選択図】図１
2005212993.tif 000002
【特許請求の範囲】
【請求項１】
桁方向に所定ピッチで並べられた印字ハンマを有するハンマ機構部、印字用紙を桁方向と垂直に送る紙送り機構部、インクリボンをハンマピン前面に沿って桁方向に駆動するリボン機構部、及び印字ハンマの打撃力を保持するためのプラテンとで構成され、適時印字ハンマを駆動する事により印字ハンマがインクリボンを介して印字用紙を打撃し、印字用紙にドットマトリクスの形で文字、図形を印字する印刷機構部と、該印刷機構部を搭載し、印刷前の印字用紙を設置、供給する給紙スペースと、給紙スペースからハンマ機構部までの用紙走行経路を矯正する用紙走行ガイドとを有する筺体とからなるドットラインプリンタにおいて、前記用紙走行ガイドを、前記給紙スペースから前記印刷機構部まで延びた一部品構成、または複数の構成部品からなる一体組み立て品として構成し、前記用紙走行ガイドを前記筺体の給紙スペース側に着脱可能に固定したことを特長とするドットラインプリンタ。
【発明の詳細な説明】
【技術分野】
【０００１】
本発明は、ドットラインプリンタに係り、更に詳しくは、その給紙側用紙搬送経路の構造に関するものである。
【背景技術】
【０００２】
図３を用いて従来技術を説明する。
【０００３】
ドットラインプリンタの印字方式は、図示していない印字ハンマを有するハンマ機構部１を図示していないシャトル機構部により桁方向に往復移動する。この過程でインクリボン２、印字用紙３を挟み、印字力を保持するプラテン４に対して印字ハンマを駆動し、印字用紙３にインクリボン２のインクを転写しドットマトリクスの形で印字する印字動作と、ステッピングモータ５を駆動しトラクタ６を介して印字用紙を桁方向と垂直に送る紙送り動作とを交互に繰り返しながら、文字、図形などの印刷を行う。以上の印字にかかわる機構部を印字機構部１１と称する。
【０００４】
次に、用紙搬送経路について図２を用いて説明する。筺体１０は印字機構部１１を搭載し、その下部に印刷前用紙を設置する給紙スペース１２を有する構造となっている。給紙スペース１２から印字機構部１１のハンマ機構部までの用紙走行経路はペーパーガイド１３ａ、１３ｂで用紙の走行位置を矯正する。
【０００５】
ドットラインプリンタは、複写用紙への印刷が可能なこと、及び低ランニングコストであることから、配送伝票やラベル紙などへの印刷に用いられることが多い。これらの用紙の中には裏面に貼付け用の糊と剥離紙を有する種類が有る。（以下、ラベル紙と称す。）ラベル紙を使用したとき印刷中に用紙ジャムなどの何らかの理由により、用紙が剥離紙から剥がれ、ペーパーガイド１３ａ、１３ｂに貼り付くことがあり、ラベルがペーパーガイド１３ａ、１３ｂのどの箇所に張り付いたのかの場所の特定や、機器の分解、組み立てなど、張り付いたラベル紙を除去するために多大の労力を要する。このペーパーガイド１３ａ、１３ｂに貼り付いた用紙を剥がし、糊を含めて完全に除去するためには、貼り付いた部分の周辺に復旧作業に必用な十分なスペースを設けることで可能となる。
【０００６】
通常、ペーバーガイドは給紙スペース側１３ａと印字機構部側１３ｂに分割して構成し、印刷機構部１１内のペーパーガイド１３ｂを外部に取出すためにハンマ機構部１とプラテン４間に開閉機構を配設し、ペーパーガイド１３ｂが取り出せるだけの開閉量を確保していた（図２の破線位置までプラテン４を開放する）。
【０００７】
ペーパーガイド１３ａ、１３ｂ内部のラベル紙の張り付き箇所の特定は目視確認が難しい場所であるため、特定が困難であり、結局ペーパーガイド１３ａ、１３ｂの両方を取り外すことが多い。
【０００８】
また、ペーパーガイド１３ｂの取り外しは、ハンマ機構部１とプラテン４の隙間で、機構部へ手を差し込んでの脱着作業であり、作業が難しく多大な時間を要していた。
【０００９】
このようにプラテン４下方にてラベル紙付着や用紙ジャムが発生した場合には、オペレータが障害箇所の特定が難しい、機構部内部へ手を差し込んでの作業になる等の理由により自己保守できないため、保守員が作業することがほとんどであった。
【００１０】
この様な問題に対し、ペーパーガイド１３ｂにスライドレールをつけ、ハンマ機構部１側にオペレータが脱着可能な構造とすることで障害復旧の時間を短くすることが提案されている（例えば、特許文献１参照）。
【００１１】
しかし、特許文献１は、ハンマ機構部１とプラテン４間の開閉機構が複雑になり、ペーパーガイドが給紙スペース側と印字機構部側に分割され、構成部品数が多く、原価高である。
【００１２】
【特許文献１】特開２０００−０５２６１５号公報
【発明の開示】
【発明が解決しようとする課題】
【００１３】
前述したように、給紙スペース１２から印字機構部１１までの用紙搬送経路において、印刷中の用紙ジャムなどによりペーパーガイド１３ａ、１３ｂにラベル紙などが張り付いた場合、その除去には多大の時間を要していた。また、それを改善する機構に多数の部品を使用し、原価的に高額な構成となっていた。
【課題を解決するための手段】
【００１４】
上記課題を解決するために本発明は、用紙走行ガイドを、給紙スペースから印刷機構部まで延びた一部品構成、または複数の構成部品からなる一体組み立て品として構成し、前記用紙走行ガイドを前記筺体の給紙スペース側に着脱可能に固定したことを特徴とする。
【発明の効果】
【００１５】
本発明によれば、配送伝票やラベル紙の印刷時、用紙ジャム等の理由により配送伝票やラベル紙がペーパーガイド内に貼り付いた場合も、ペーパーガイドの取り外しがオペレータレベルで可能なため、復旧作業が容易で使い勝手が向上すると共に、ペーパーガイドの部品点数を削減し、なおかつハンマ機構部とプラテン間の開閉機構等を簡素化できるため、安価な構成で良好な保守性を提供できる。
【発明を実施するための最良の形態】
【００１６】
以下、図１を用いて本発明の実施例を説明する。
【００１７】
筐体１０の給紙スペース１２から印字機構部１１のハンマ機構部１下部まで延びたペーパーガイド２０を一つの構成部品、または複数の構成部品からなる一体組み立て品として構成し、このペーパーガイド２０を筐体１０の給紙スペース１２側に、サムスクリュー２１を用いて脱着可能に固定している。サムスクリュー２１を取り外すことにより図中破線の如く脱着可能な構造にしている。ペーパーガイド２０の固定位置は、筐体１０内においてオペレータが取り付け・取り外し容易な位置とする。
【図面の簡単な説明】
【００１８】
【図１】本発明の実施例を示す模式図。
【図２】従来技術を示す模式図。
【図３】ドットラインプリンタの印字機構部機構の斜視図。
【符号の説明】
【００１９】
１…ハンマ機構部、２…インクリボン、３…印字用紙、４…プラテン、５…ステッピングモータ、６…トラクタ、１０…筺体、１１…印字機構部１２…給紙スペース、１３ａ／１３ｂ…従来技術に示すペーパーガイド、２０…本発明のペーパーガイド、２１…サムスクリュー。
【図１】
2005212993.tif 000003
【図２】
2005212993.tif 000004
【図３】
2005212993.tif 000005